(57)【要約】【課題】迅速且つ簡易にパルスチェックを行うことのできる電力量計用パルスチェッカーを提供する。【解決手段】  パルスチェッカー１は、電源部１３、第１抵抗１４、第２抵抗１５、電源部１３及び第１抵抗１４に直列に接続された第１入力端子対１１、第２抵抗１５に接続された第２入力端子対１２、第１抵抗１４及び第２抵抗１５の両端間電圧に応じた電気信号が入力されて当該電気信号の変化の態様を視覚的又は聴覚的に認識可能な情報信号に変換する制御部１６、及び前記情報信号を外部に出力するための情報出力部１７を備える。第１入力端子対１１は、パルス出力中に出力端子対３１が同電位となる第１タイプの電力量計３０のパルスチェックを行う際に出力端子対３１に接続され、第２入力端子対１２は、パルス出力中に出力端子対４１に電位差が発生する第２タイプの電力量計４０のパルスチェックを行う際に出力端子対４１に接続される。【選択図】        図２
2014038033.tif 000002
【特許請求の範囲】
【請求項１】
消費電力に応じた周波数のパルスを出力するパルス発生部を内蔵した電力量計のパルス発生機能を検査するためのパルスチェッカーであって、
電源部と、
第１抵抗及び第２抵抗と、
前記電源部及び前記第１抵抗に直列に接続された第１入力端子対と、
前記第２抵抗に接続された第２入力端子対と、
前記第１抵抗及び前記第２抵抗の両端間電圧に応じた電気信号が入力され、前記電気信号の変化の態様を視覚的又は聴覚的に認識可能な情報信号に変換する制御部と、
前記情報信号を外部に出力するための情報出力部と、を備え、
前記第１入力端子対は、前記パルス発生部からパルスが出力されている間に出力端子対が同電位となる第１タイプの電力量計のパルスチェックを行う場合に当該出力端子対に接続され、
前記第２入力端子対は、前記パルス発生部からパルスが出力されている間に出力端子対に電位差が発生する第２タイプの電力量計のパルスチェックを行う場合に当該出力端子対に接続されることを特徴とする電力量計用パルスチェッカー。
【請求項２】
前記制御部は、前記電気信号の周波数を検知して、当該周波数に関する情報を前記情報信号として出力し、
前記情報出力部が、前記電気信号の周波数を表示する液晶表示部を含むことを特徴とする請求項１に記載の電力量計用パルスチェッカー。
【請求項３】
前記情報出力部が、通電されると発光する発光部を含み、
前記制御部が前記電気信号の周波数に応じて前記発光部を通電させることで、前記発光部が前記周波数に応じた時間間隔で点灯することを特徴とする請求項１又は２に記載の電力量計用パルスチェッカー。
【請求項４】
前記情報出力部が、通電されると音響信号を出力する音響出力部を含み、
前記制御部が前記電気信号の周波数に応じて前記音響出力部を通電させることで、前記音響出力部が前記周波数に応じた時間間隔で前記音響信号を出力することを特徴とする請求項１〜３のいずれか１項に記載の電力量計用パルスチェッカー。
【請求項５】
前記電源部は、前記制御部に接続されることで、前記制御部の動作用電源として機能することを特徴とする請求項１〜４のいずれか１項に記載の電力量計用パルスチェッカー。
【請求項６】
請求項１〜５のいずれか１項に記載の電力量計用パルスチェッカーを用いた電力量計のパルスチェック方法であって、
検査対象が前記第１タイプの電力量計である場合には、同電力量計の出力端子対と前記第１入力端子対を接続し、検査対象が前記第２タイプの電力量計である場合には、同電力量計の出力端子対と前記第２入力端子対を接続した状態で、前記情報出力部から出力される前記情報信号を確認することでパルス発生機能を検査することを特徴とするパルスチェック方法。
【発明の詳細な説明】
【技術分野】
【０００１】
本発明は電力量計用パルスチェッカーに関し、特に消費電力に応じた周波数のパルスを出力するパルス発生部を内蔵した電力量計のパルス発生機能を検査するためのパルスチェッカーに関する。また、本発明はこのような電力量計用パルスチェッカーの使用方法に関する。
【背景技術】
【０００２】
高圧電力や業務用電力で契約する大口需要家が支払う電気料金には、基本料金と電力量料金とがあり、現在、基本料金は最大需要電力（以下、「デマンド」と呼ぶ。）によって決定される仕組みとなっている。電力量料金は電力量計により計測されるが、この電力量計には、最大需要電力を記録する３０分最大需要電力量計（デマンド計）が取付けられており、３０分間の電気の使用量を計測して求めた平均使用電力（ｋＷ）を３０分デマンドとして算出する。そして、１箇月間で最大の３０分デマンドの値を最大デマンドとして記憶し、この最大デマンドに基づいて１年間の契約電力、すなわち基本料金が決定される。
【０００３】
つまり、需要家側にすれば、電気料金をなるべく引き下げるためには、最大需要電力を抑制することが効果的である。このため、需要電力を常時監視すると共に、設定された値を超過しそうになると所定の警報を出力し、又は優先順位の低い負荷を自動的に切断することで需要電力を自動制御するデマンド制御装置（デマンド・コントローラ）を導入する需要家が多い。
【０００４】
図５に、大口需要家の受電設備の一例を模式的に示す。配電網５０からの高圧受電電力はキュービクル６０に引込まれた後、当該キュービクル６０内のトランス６１で低圧電力に降圧されて電灯負荷Ｚ１や動力負荷Ｚ２に供給される。キュービクル６０内には計器用変成器（ＶＣＴ）６２が通常備えられており、負荷での消費電力を電力量計６３で測定可能なレベルに変成している。また、必要に応じて調相設備（ＳＣ）６６が設けられている。
【０００５】
電力量計６３は、通常、パルス発生部６４を内蔵しており、このパルス発生部６４は消費電力に応じた周波数のパルスＰを出力する構成である。デマンド・コントローラ６５は、このパルスＰを受信し、このパルスＰの周波数に基づいて需要家の電灯負荷Ｚ１や動力負荷Ｚ２の消費電力を検出する。そして、予め設定されている電力（目標値）を超えそうな場合に、所定の警報を出力し、又は優先順位の低い負荷を自動的に切断する。
【０００６】
特許文献１には、電力量計から出力されるパルスを用いて、電力の使用状態を検知し、そのデータの収集と加工を行う技術に関する装置が開示されている。また、特許文献２には、デマンド・コントローラに関する開示がある。
【先行技術文献】
【特許文献】
【０００７】
【特許文献１】特開２００４−２０５２５５号公報
【特許文献２】特開２００９−１５３２５２号公報
【発明の概要】
【発明が解決しようとする課題】
【０００８】
上述したように、デマンド・コントローラは、デマンドを監視・制御する機能を有し、需要家にとっては意図せぬ電気料金の高騰を未然に防止することができるという点で有用な装置である。しかし、デマンド・コントローラが正確に作動しなければ、このような効果を得ることはできないので、需要家は、例えばデマンド・コントローラの表示部の表示態様が通常と異なっている等、普段とは動作が異なっていることを感知すると、なるべく早期に不具合の原因を究明して解決することを希望するものである。
【０００９】
デマンド・コントローラは、電子部品によって構成されているため、一般の電気製品と同様、雷サージ等種々の要因により不具合を生じることがある。このような場合には、不具合を生じているデマンド・コントローラの部品を交換し、又はデマンド・コントローラ自体を交換することで対処することが可能である。
【００１０】
しかし、デマンド・コントローラ自体に異常がなくても、電力量計に内蔵されたパルス発生部から正しくパルス信号が発生していないような場合には、同様にデマンド・コントローラは通常とは異なる動作態様を示す。このため、需要家は、デマンド・コントローラの動作に通常とは異なる違和感を覚えた場合、電力量計に内蔵されたパルス発生部から消費電力に応じたパルス信号が正しく出力されているかどうかの確認（以下、「パルスチェック」と呼ぶ。）を電力会社に依頼することがある。
【００１１】
現時点において、パルスチェックは、オシロスコープやメモリハイコーダ等の測定機器を電力量計の出力端子に適切に接続して、測定機器に表示される波形を確認することによって行なわれるのが一般的である。
【００１２】
ところで、現在、高圧電力用の電力量計は、パルスを外部に取り出すための出力端子に接続される内部構成について、大きく２種類が存在している。
【００１３】
従来、パルス発生部からパルスが出力されている間に出力端子対が同電位となるタイプの電力量計（以下、「第１タイプの電力量計」と呼ぶ。）が主流であった。このようなタイプの電力量計としては、いわゆる「ＣＤＭ型」と称されるものがその一例として挙げられる。
【００１４】
この第１タイプの電力量計に対してパルスチェックを行う場合には、安定化電源と抵抗を出力端子対に直列に接続し、この抵抗間の電圧についてオシロスコープやメモリハイコーダ等の測定機器で検出するという作業が必要となる。このため、パルスチェックの作業のために、安定化電源、抵抗及び測定機器が現場で必要となり、作業員が持参する必要のある器具が多く、複数名の作業員で対応しなければならないという問題がある。更には、パルスチェックを正しく行うためには、抵抗及び安定化電源を適切に接続しなければならないが、接続させる器具の数が増えるとそれだけ誤った配線をする可能性が増大するという問題もある。
【００１５】
これらの問題も一つの要因として、近年、電力量計に電源を内蔵し、パルス発生部からパルスが出力されている間に出力端子対に電位差が発生するタイプの電力量計（以下、「第２タイプの電力量計」と呼ぶ。）が導入され始めている。このようなタイプの電力量計としては、いわゆる「１０ＣＤＭ型」と称されるものがその一例として挙げられる。
【００１６】
この第２タイプの電力量計に対してパルスチェックを行う場合には、単に出力端子対に抵抗を接続して、抵抗間の電圧についてオシロスコープやメモリハイコーダ等の測定機器で検出すればよいため、安定化電源を持参する必要はない。また、第２タイプの電力量計のパルスチェックでは、接続させる計器の数が減少するため、作業員が誤って計器を接続するおそれが少なくなるというメリットもある。
【００１７】
将来的には、高圧用電力量計の全てがこの第２タイプのものに置き換えられることが予想されている。ところが、現状では、第１タイプと第２タイプの電力量計が混在しているため、両者のタイプの電力量計に対してパルスチェックを迅速且つ簡易に行えるシステムを構築しておく必要がある。しかし、上述したように、特に第１タイプの電力量計のパルスチェックを行う場合には、持参計器数が多く、複数の作業員を要するという問題がある。更に、第１タイプと第２タイプの電力量計が混在しているため、現時点では、パルスチェック時の結線を誤って行うおそれが更に増大しているという問題もある。
【００１８】
加えて、上記のようなパルスチェックの依頼を受けた電力会社は、オシロスコープ等の測定機器を、当該機器を管理している他の部署や企業から貸出して対応しているのが現状である。
【００１９】
しかし、オシロスコープ等の測定機器は一台あたりの単価も高く、また恒常的に利用されるものでもないので、常に十分に在庫があるというわけでもない。よって、たまたま他の需要家に測定機器を貸与中にパルスチェックの依頼を受けた場合、貸与中の測定機器が返却されるまで需要家に待ってもらう必要が生じる。上述したように、デマンド・コントローラに不具合が生じていると、場合によっては電気料金が意図せず高騰するおそれがあるところ、需要家としては、できるだけ早期に不具合の原因を突き止めたいという要望がある。しかし、現状のシステムでは、そのような要望に対応することが難しいという問題がある。
【００２０】
本発明は上記の課題に鑑み、迅速且つ簡易にパルスチェックを行うことのできる電力量計用パルスチェッカーを提供することを目的とする。また、本発明は、迅速且つ簡易にパルスチェックを行うための方法を提供することを目的とする。
【課題を解決するための手段】
【００２１】
本発明のパルスチェッカーは、消費電力に応じた周波数のパルスを出力するパルス発生部を内蔵した電力量計のパルス発生機能を検査するためのパルスチェッカーであって、
電源部と、
第１抵抗及び第２抵抗と、
前記電源部及び前記第１抵抗に直列に接続された第１入力端子対と、
前記第２抵抗に接続された第２入力端子対と、
前記第１抵抗及び前記第２抵抗の両端間電圧に応じた電気信号が入力され、前記電気信号の変化の態様を視覚的又は聴覚的に認識可能な情報信号に変換する制御部と、
前記情報信号を外部に出力するための情報出力部と、を備える構成である。
【００２２】
ここで、前記第１入力端子対は、前記パルス発生部からパルスが出力されている間に出力端子対が同電位となる第１タイプの電力量計のパルスチェックを行う場合に、この電力量計の出力端子対に接続されるための端子対である。一方、前記第２入力端子対は、前記パルス発生部からパルスが出力されている間に出力端子対に電位差が発生する第２タイプの電力量計のパルスチェックを行う場合に当該出力端子対に接続されるための端子対である。
【００２３】
このような構成のパルスチェッカーによれば、パルスチェックの依頼を受けた場合、作業員は、需要家の電力量計のタイプが第１タイプか第２タイプかに関わらず、このパルスチェッカーのみを現場に持参すればよい。このため、必要な計器が大幅に削減される。また、従来のようにオシロスコープ等の測定機器を別途借り受けて現場に持参する必要がないため、迅速な対応が可能となる。
【００２４】
作業員は、需要家の電力量計が第１タイプである場合には、電力量計の出力端子対と第１入力端子対を単に接続するだけでよく、第２タイプである場合には、電力量計の出力端子対と第２入力端子対を単に接続するだけでよい。このため、作業員が誤った結線をして正しくパルスチェックができないというおそれが大幅に解消する。
【００２５】
需要家の電力量計が第１タイプの場合、作業員は、電力量計の出力端子対と第１入力端子対を接続する。このとき、電力量計のパルス発生部から正しくパルスが出力されていれば、電力量計の出力端子対、第１入力端子対、電源部及び第１抵抗によって閉回路が形成されるため、電源部の電圧に由来して当該閉回路に電流が発生する。制御部は、この電流によって生じる第１抵抗の両端間電圧に応じた電気信号を、視覚的又は聴覚的に認識可能な情報信号に変換して情報出力部に出力する。作業員は、情報出力部から出力されるこの情報信号を視覚的又は聴覚的に確認することで、パルスが正しく発生しているかどうかを確認することができる。
【００２６】
また、需要家の電力量計が第２タイプの場合、作業員は、電力量計の出力端子対と第２入力端子対を接続する。このとき、電力量計のパルス発生部から正しくパルスが出力されていれば、電力量計の出力端子対、第２入力端子対、第２抵抗によって閉回路が形成されるため、電力量計の出力端子対に生じている電位差に由来して当該閉回路に電流が発生する。制御部は、この電流によって生じる第２抵抗の両端間電圧に応じた電気信号を、視覚的又は聴覚的に認識可能な情報信号に変換して情報出力部に出力する。作業員は、情報出力部から出力されるこの情報信号を視覚的又は聴覚的に確認することで、パルスが正しく発生しているかどうかを確認することができる。
【００２７】
ここで、パルスが正しく発生している場合、第１抵抗又は第２抵抗の両端間には、パルス形状の電気信号が発生する。この電気信号は、電力量計から出力されるパルスの周波数に依存した周波数を有するため、制御部は、この周波数に応じた視覚的又は聴覚的に認識可能な情報信号を生成することができる。よって、作業員は、この情報信号に基づいて電力量計からパルスが正しく発生されているかどうかの確認ができる。
【００２８】
上記パルスチェッカーは、情報出力部が通電されると発光する発光部を含み、前記制御部が前記電気信号の周波数に応じて前記発光部を通電させることで、前記発光部が前記周波数に応じた時間間隔で点灯する構成とすることができる。この場合、作業員は、発光部の点滅を視覚的に確認することで、パルス信号が正しく発生されていることを認識できる。例えば、発光部が全く点灯しないか、逆に点灯し続けている場合、作業員は電力量計のパルス発生部に何らかの不具合が生じていることを認識できる。
【００２９】
また、別の構成として、上記パルスチェッカーは、通電されると音響信号を出力する音響出力部を含み、前記制御部が前記電気信号の周波数に応じて前記音響出力部を通電させることで、前記音響出力部が前記周波数に応じた時間間隔で前記音響信号を出力する構成とすることができる。この場合、作業員は、音響出力部から生じる音響信号の鳴動を聴覚的に確認することで、電力量計からパルスが正しく発生されていることを認識できる。例えば、音響出力部からの音響信号が全く聞こえないか、逆に所定レベルの音響信号が鳴動し続けている場合、作業員は電力量計のパルス発生部に何らかの不具合が生じていることを認識できる。
【００３０】
上述したように、制御部には、電力量計から出力されるパルスの周波数に依存した周波数を有する電気信号が入力される構成である。このため、上記パルスチェッカーは、前記制御部が前記電気信号の周波数を検知して、当該周波数に関する情報を前記情報信号として出力し、前記情報出力部が、前記電気信号の周波数を表示する液晶表示部を含む構成とすることができる。この場合、作業員は、液晶表示部に表示されている周波数に関する情報を視覚的に確認することで、電力量計からパルスが正しく発生されていることを認識できる。
【００３１】
上記パルスチェッカーにおいて、前記電源部を前記制御部に接続して、前記制御部の動作用電源としても構わない。このように構成することで、パルスチェッカーは動作用電源が内蔵され、別途電源用のコンセント等が不要となる。また、第１タイプの電力量計のパルスチェックに必要となる電圧供給のための電源部を、パルスチェッカー動作用の電源として兼ねさせることができるので、パルスチェッカーの小型化に寄与することができる。
【発明の効果】
【００３２】
本発明のパルスチェッカーによれば、検査に必要な計器が大幅に削減されると共に、従来のようにオシロスコープ等の測定機器を別途借り受けて現場に持参する必要がないため、迅速な対応が可能となる。
【００３３】
加えて、電力量計のタイプに関わらず、電力量計の出力端子対と所定の入力端子対を単に接続するだけでパルスチェックが行えるため、作業員が誤った結線をして正しくパルスチェックができないという課題を解消することができる。
【図面の簡単な説明】
【００３４】
【図１】パルスチェッカーの模式的外観図の一例である。
【図２】パルスチェッカーの内部構成を模式的に示すブロック図である。
【図３Ａ】第１タイプの電力量計の内部の一部構成を模式的に示す図である。
【図３Ｂ】第２タイプの電力量計の内部の一部構成を模式的に示す図である。
【図４】制御部の内部構成を模式的に示すブロック図である。
【図５】大口需要家の受電設備の一例を模式的に示した図である。
【発明を実施するための形態】
【００３５】
本発明の電力量計用パルスチェッカー及びこれを用いたパルスチェック方法の実施形態につき、図面を参照して説明する。
【００３６】
図１は、パルスチェッカーの模式的外観図の一例である。また、図２は、パルスチェッカーの内部構成を模式的に示すブロック図である。なお、図２では、パルスチェックを行う対象となる電力量計をパルスチェッカーと併せて図示している。
【００３７】
本発明のパルスチェッカー１は、上述した２つのタイプの電力量計（第１タイプ、第２タイプ）の双方に対して、電力量計のパルス発生機能の検査が可能な構成である。なお、繰り返しになるが、ここで、第１タイプの電力量計とは、パルス発生部からパルスが出力されている間に出力端子対が同電位となるタイプの電力量計を指しており、いわゆる「ＣＤＭ型」と称されるものがその一例として挙げられる。また、第２タイプの電力量計とは、電源を内蔵し、パルス発生部からパルスが出力されている間に出力端子対に電位差が発生するタイプの電力量計を指しており、いわゆる「１０ＣＤＭ型」と称されるものがその一例として挙げられる。
【００３８】
図１に示すように、パルスチェッカー１は、第１入力端子対１１、第２入力端子対１２、音響出力部２１、発光部２２、液晶表示部２３、及び電源スイッチ２５を備える。音響出力部２１は例えばブザーやスピーカで構成され、発光部２２は例えばＬＥＤで構成される。なお、これらの配置位置については、図１の態様に限られない。
【００３９】
また、図２に示すように、パルスチェッカー１には、その内部に電源部１３、第１抵抗１４、第２抵抗１５、制御部１６が更に備えられている。なお、情報出力部１７は、音響出力部２１、発光部２２、液晶表示部２３を含む構成であり、制御部１６から出力される情報信号を外部出力させるための所定の処理を行なって外部出力させる。なお、第１抵抗１４は例えば５００Ω、第２抵抗１５は例えば１０Ωとすることができるが、この数値は一例である。また両抵抗値の大小関係についてもこの限りではない。
【００４０】
図２に示すように、第１入力端子対１１は、電源部１３及び第１抵抗１４が直列に接続されている。また、第２入力端子対１２は、第２抵抗１５が直列に接続されている。
【００４１】
制御部１６は、第１抵抗１４の両端間電圧、及び第２抵抗１５の両端間電圧に応じた電気信号が入力される構成である。また、制御部１６は、電源部１３から動作用電源が供給され、前記電気信号が入力されると、当該電気信号に基づく所定の情報信号を生成して情報出力部１７に出力する。なお、制御部１６の動作用電源は、電源部１３から供給される態様に限られず、パルスチェッカー１が動作用電源を供給するための他の電源を備える構成としても構わない。
【００４２】
第１入力端子対１１は、第１タイプの電力量計３０のパルスチェックに利用される。他方、第２入力端子対１２は、第２タイプの電力量計４０のパルスチェックに利用される。すなわち、第１タイプの電力量計３０のパルスチェックを行う場合には、電力量計３０の出力端子対３１と第１入力端子対１１を結線する。他方、第２タイプの電力量計４０のパルスチェックを行う場合には、電力量計４０の出力端子対４１と第２入力端子対１２を結線する。なお、作業員に対してより明確にすべく、図１に示すように、第１入力端子対１１及び第２入力端子対の近傍に、それぞれどのタイプの電力計に接続するかを示すための表示ラベル２６を付していてもよい。また、第１入力端子対１１と第２入力端子対１２とで、端子やケーブルの色を異ならせるのもよい。
【００４３】
図３Ａは、第１タイプの電力量計３０の内部の一部構成を模式的に示した図である。電力量計３０は、消費電力を計測する計測部３３、計測部３３によって計測された消費電力の値に応じた周波数のパルスを出力するパルス発生部３４を備える。なお、図３Ａでは、電力量計３０が出力端子対３１に接続されたトランジスタ３６を備え、パルス発生部３４が生成したパルスがトランジスタ３６のベースに出力されることで、出力端子対３１が同電位となる構成である。なお、第１タイプの電力量計３０は、パルス発生部３４からパルスが出力されている間に出力端子対３１が同電位となる構成であれば、図３Ａの態様には限られない。
【００４４】
図３Ｂは、第２タイプの電力量計４０の内部の一部構成を模式的に示した図である。電力量計４０は、消費電力を計測する計測部３３、計測部３３によって計測された消費電力の値に応じた周波数のパルスを出力するパルス発生部３４、電源部４２、及び抵抗４３を備える。また、図３Ｂでは、電力量計４０が出力端子対４１の一方の端子４１ａに接続されたフォトカプラ４４を備える。なお、出力端子対４１の他方の端子４１ｂは接地されている。このとき、パルス発生部３４が生成したパルスがフォトカプラ４４に出力されることで、出力端子対４１の一方の端子４１ａは電源４２と電気的に接続され、接地されている他方の端子４１ｂよりも高電位となり、出力端子対４１に電位差が生じる。なお、第２タイプの電力量計４０は、パルス発生部３４からパルスが出力されている間に出力端子対４１に電位差が発生する構成であれば、図３Ｂの態様には限られない。
【００４５】
第１タイプの電力量計３０のパルスチェックについて説明する。図２に示すように、電力量計３０のパルスチェックを行うに際しては、出力端子対３１を第１入力端子１１に接続する。上述したように、第１タイプの電力量計３０が正しく動作している場合、パルス発生部３４は、消費電力に応じた周波数のパルス信号を出力し、この周波数に応じて出力端子対３１が同電位となる。図２によれば、出力端子対３１が同電位となっている間、出力端子対３１、第１入力端子対１１、電源部１３及び第１抵抗１４によって閉回路が形成されるため、電源部１３の電圧に由来して当該閉回路に電流が発生する。制御部１６は、この第１抵抗１４の両端間電圧に応じた電気信号が与えられ、所定の情報信号に変換して情報出力部１７に出力する。
【００４６】
つまり、第１抵抗１４の両端間電圧は、パルス発生部３４から発生されるパルスの周波数に応じて変化する。よって、制御部１６は、第１抵抗１４の両端間電圧に応じた電気信号に基づいて、パルス発生部３４からのパルスの周波数に応じた情報信号を情報出力部１７に出力することができる。
【００４７】
第２タイプの電力量計４０のパルスチェックについて説明する。図２に示すように、電力量計４０のパルスチェックを行うに際しては、出力端子対４１を第２入力端子対１２に接続する。上述したように、第２タイプの電力量計４０が正しく動作している場合、パルス発生部３４は、消費電力に応じた周波数のパルス信号を出力し、この周波数に応じて出力端子対４１に電位差が生じる。図２によれば、出力端子対３２に電位差が生じている間、出力端子対４１、第２入力端子対１２、第２抵抗１５によって閉回路が形成されるため、出力端子対４１に生じている電位差に由来して当該閉回路に電流が発生する。制御部１６は、この第２抵抗１５の両端間電圧に応じた電気信号が与えられ、所定の情報信号に変換して情報出力部１７に出力する。
【００４８】
つまり、第２抵抗１５の両端間電圧は、パルス発生部３４から発生されるパルスの周波数に応じて変化する。よって、制御部１６は、第２抵抗１５の両端間電圧に応じた電気信号に基づいて、パルス発生部３４からのパルスの周波数に応じた情報信号を情報出力部１７に出力することができる。
【００４９】
図４は、制御部１６の内部構成を模式的に示すブロック図の一例である。制御部１６は、制御用ＩＣで構成されることができる。
【００５０】
制御部１６は、パルス検出部４５、周波数検出部４６、内部パルス発生部４７及び液晶表示出力変換部４８を備える。
【００５１】
パルス検出部４５は、制御部１６に与えられた電気信号の立ち上がりを検出することで、パルスの発生を検出する。周波数検出部４６は、例えば１秒間のゲート信号を内部で発生させ、１秒間でパルス検出部４５によって検出されたパルス数をカウントすることで、周波数を検出する。内部パルス発生部４７は、周波数検出部４６が検出した周波数に基づき、音響出力部２１及び発光部２２の通電に適した電圧及びパルス幅のパルス信号を生成して、音響出力部２１及び発光部２２に出力する。また、液晶表示出力変換部４８は、周波数検出部４６によって検出されたカウント値のバイナリデータを液晶表示用のデータ（例えばBCD: Binary Coded Decimal）に変換し、液晶表示部２３に出力する。
【００５２】
このような構成としたとき、音響出力部２１は、電力量計（３０，４０）から出力されるパルス信号の周波数に応じた時間間隔で鳴動する。これにより、作業員は、音響出力部２１から生じる音響信号の鳴動を聴覚的に確認することで、電力量計（３０，４０）からパルス信号が正しく発生されていることを認識できる。
【００５３】
また、発光部２２は、電力量計（３０，４０）から出力されるパルス信号の周波数に応じた時間間隔で点灯する。これにより、作業員は、発光部２２の点滅を視覚的に確認することで、電力量計（３０，４０）からパルス信号が正しく発生されていることを認識できる。
【００５４】
また、液晶表示部２３は、電力量計（３０，４０）から出力されるパルス信号の周波数に係る情報を表示する。これにより、作業員は、液晶表示部２３に表示されている周波数に関する情報を視覚的に確認することで、電力量計（３０，４０）からパルス信号が正しく発生されていることを認識できる。
【００５５】
以上説明したように、本発明のパルスチェッカー１によれば、パルスチェックの対象となる電力量計が、第１タイプの電力量計３０か第２タイプの電力量計４０かに関わらず、このパルスチェッカー１のみでパルスチェックの実行が可能となる。このため、作業に必要な計器が大幅に削減される上、従来のようにオシロスコープ等の測定機器を別途借り受ける必要がない。これにより、需要家からパルスチェックの依頼を受けた場合にも、迅速な対応が可能となる。
【００５６】
また、パルスチェックに際しては、パルスチェックの対象となる電力量計が第１タイプの電力量計３０か第２タイプの電力量計４０かによって、電力量計の出力電子対（３１，４１）の接続先を、第１入力端子対１１か第２入力端子対１２かにすれば良いだけである。つまり、電力量計のタイプ（３０，４０）に応じて、結線方法を異ならせる必要がないため、作業員が誤った結線をして正しくパルスチェックができないという問題が極めて生じにくい。
【００５７】
そして、更にパルスチェック時においては、作業員が、音響出力部２１から出力される鳴動音、発光部２２における発光状態又は液晶表示部２３の表示画面を、聴覚或いは視覚によって確認するだけで、電力量計（３０，４０）からパルス信号が正しく発生されているかどうかの確認ができる。
【００５８】
なお、上述した実施形態の構成のように、電源部１３から制御部１６に対して動作用電源が供給される構成とすることで、パルスチェッカー１の動作電源を確保するために別途コンセントを必要としないという効果もある。なお、電源部１３は、汎用の電池で構成することが可能である。
【００５９】
［別実施形態］
以下、別実施形態につき説明する。
【００６０】
〈１〉  パルスチェッカー１は、情報出力部１７として、音響出力部２１、発光部２２及び液晶表示部２３の全てを備える構成として説明したが、少なくともこれらのうちの一つを備える構成として構わない。
【００６１】
〈２〉  パルスチェッカー１は、制御部１６によって生成された情報信号の一部を記憶する記憶部と、制御部１６に対して読み出し指示を行うための操作部を更に備える構成としても構わない。これにより、パルスチェックに係る作業が完了し、パルスチェッカー１を電力量計（３０，３１）から外した後においても、作業員が操作部を操作して記憶部に記憶された情報信号の読み出し指示を行うことで、再びパルスチェッカー１を電力量計に接続することなく検査結果を確認することが可能となる。
【００６２】
〈３〉  パルスチェッカー１は、制御部１６によって生成された情報信号を、外部に出力するためのインタフェースを更に備える構成としても構わない。これにより、パルスチェック作業時に、実際のパルス波形そのものを視覚的に確認したいという需要家からの要望があった場合に、オシロスコープ等の測定機器をインタフェースに接続することで需要家に対して実際の波形を視覚的に確認させることが可能となる。
【００６３】
更に、パルスチェッカー１が、制御部１６によって生成された情報信号の一部を記憶する記憶部を備える構成とし、上記インタフェースを介してこの記憶部に記憶された情報を外部に出力することのできる構成としても構わない。
【符号の説明】
【００６４】
１      ：    パルスチェッカー
１１      ：    第１入力端子対
１２      ：    第２入力端子対
１３      ：    電源部
１４      ：    第１抵抗
１５      ：    第２抵抗
１６      ：    制御部
１７      ：    情報出力部
２１      ：    音響出力部
２２      ：    発光部
２３      ：    液晶表示部
２５      ：    電源スイッチ
２６      ：    表示ラベル
３０      ：    第１タイプの電力量計
３１      ：    第１タイプの電力量計の出力端子対
３３      ：    計測部
３４      ：    パルス発生部
３６      ：    トランジスタ
４０      ：    第２タイプの電力量計
４１      ：    第２タイプの電力量計の出力端子対
４１ａ、４１ｂ      ：    第２タイプの電力量計の出力端子
４２      ：    電源部
４３      ：    抵抗
４４      ：    フォトカプラ
４５      ：    パルス検出部
４６      ：    周波数検出部
４７      ：    内部パルス発生部
４８      ：    液晶表示出力変換部
５０      ：    配電網
６０      ：    キュービクル
６１      ：    トランス
６２      ：    計器用変成器（ＶＣＴ）
６３      ：    電力量計
６４      ：    パルス発生部
６５      ：    デマンド・コントローラ
６６      ：    調相設備
Ｚ１      ：    電灯負荷
Ｚ２      ：    動力負荷
【図１】
2014038033.tif 000003
【図２】
2014038033.tif 000004
【図３Ａ】
2014038033.tif 000005
【図３Ｂ】
2014038033.tif 000006
【図４】
2014038033.tif 000007
【図５】
2014038033.tif 000008